(57)【要約】【課題】多様な機能を担保しつつ、開口部の周囲に省スペースで設置可能な開閉体及び開閉装置を提供する。【解決手段】開口部の周縁部近傍に沿って設けられた案内手段に沿って移動可能な保持手段と、保持手段に保持され、互いに隣接する複数の開閉体によって開口部を開閉する開閉装置であって、開閉体は多面パネル体と、保持手段によって保持される連結体とを備え、多面パネル体は保持手段の移動方向と交差する方向に長尺な複数のパネルにより構成され、保持手段が開口部を開放する方向に移動したときに隣接する多面パネル体を受け入れる収容部を有し、連結体は多面パネル体の長手方向の端部において、パネル間に掛け渡される。【選択図】図３
2010180658.tif 000002
【特許請求の範囲】
【請求項１】
開口部の周縁部近傍に沿って設けられた案内手段に沿って移動可能な保持手段と、
前記保持手段に保持され、互いに隣接する複数の開閉体によって前記開口部を開閉する開閉装置であって、
前記開閉体は多面パネル体と、
前記保持手段によって保持される連結体とを備え、
前記多面パネル体は前記保持手段の移動方向と交差する方向に長尺な複数のパネルにより構成され、前記保持手段が前記開口部を開放する方向に移動したときに隣接する多面パネル体を受け入れる収容部を有し、
前記連結体は前記多面パネル体の長手方向の端部において、前記パネル間に掛け渡されることを特徴とする開閉装置。
【請求項２】
前記連結体は、隣接する開閉体の多面パネル体が前記パネル体に収容された状態において、隣接する開閉体の連結体と当接することを特徴とする請求項１に記載の開閉装置。
【請求項３】
前記多面パネル体は、前記端部から長手方向に延長する切り欠き部を備えることを特徴とする請求項１又は請求項２に記載の開閉装置。
【請求項４】
前記多面パネル体は、光透過パネルを有することを特徴とする請求項１乃至請求項３いずれかに記載の開閉装置。
【請求項５】
前記開閉装置は、前記保持手段を回転させる回転手段を備え、前記開閉体を回転させることを特徴とする請求項１乃至請求項４いずれかに記載の開閉装置。
【請求項６】
前記連結体は、前記多面パネル体の長手方向の両端部において、前記パネル間に掛け渡され、前記連結体のうち一方の連結体が前記保持手段によって保持され、
前記連結体のうち他方の連結体が隣接する開閉体同士の位置関係を規制する規制手段を備えることを特徴とする請求項１乃至請求項５いずれかに記載の開閉装置。
【発明の詳細な説明】
【技術分野】
【０００１】
本発明は、住宅等を始めとする構造物の開口部に設置される開閉装置に関し、特に多機能を有する開閉体を備えた開閉装置に関する。
【背景技術】
【０００２】
従来、例えば、一般的な住宅等の構造物に開設される開口部には、開口部を閉鎖する窓や、窓よりも屋内側に位置するカーテンやブラインド等の開閉体が設置されることにより、住環境において要求される視認性、採光性、吸音性、断熱性等の多様な機能が担保され、窓よりも屋外側に位置する雨戸やシャッター等により防犯性、防災性などの機能を担保されている。
一方で、商店やショールーム等の構造物においては閉店時に開口部を閉鎖して、防犯性等を確保することはもとより、外部から構造物の内部に陳列された商品等を視認可能とし、かつ、商品等の見栄えが良くなるような意匠性の高い開閉体が採用されつつあり、開閉体に要求される機能は、設置される場所や用途によって大きく異なる。
【先行技術文献】
【特許文献】
【０００３】
【特許文献１】特開２０００−１７０４５４号公報
【特許文献２】特開平８−１０５２７６号公報
【特許文献３】特開２００７−３２７２０５号公報
【発明の概要】
【発明が解決しようとする課題】
【０００４】
しかし、上記機能をすべて併せ持つ開閉体は存在しておらず、複数の機能を担保するためには上記した開閉体を場所や用途に合わせて複数設置する必要があり、開口部の周囲における空間が複数の開閉体や、開閉体を格納するスペースによって占有されるため、開口部の周囲にスペースが確保され難いという欠点がある。
【０００５】
そこで本発明は、上記課題を解決するため、上記多様な機能を担保しつつ、開口部の周囲に省スペースで設置可能な開閉体及び開閉装置を提供することを主たる目的とする。
また、開口部を開閉体によって閉鎖した時の意匠上の美観を向上させることが可能な開閉体及び開閉装置を提供することを目的とする。
【課題を解決するための手段】
【０００６】
本発明に係る第一の形態として、開口部の周縁部近傍に沿って設けられた案内手段に沿って移動可能な保持手段と、保持手段に保持され、互いに隣接する複数の開閉体によって開口部を開閉する開閉装置であって、開閉体が多面パネル体と保持手段によって保持される連結体とを備え、多面パネル体が保持手段の移動方向と交差する方向に長尺な複数のパネルにより構成され、保持手段が開口部を開放する方向に移動したときに隣接する多面パネル体を受け入れる収容部を有し、連結体が多面パネル体の長手方向の端部において、パネル間に掛け渡される構成とした。
本発明によれば、開閉体が多面パネル体と、保持手段によって保持される連結体とを備え、多面パネル体が保持手段の移動方向と交差する方向に長尺な複数のパネルにより構成され、保持手段が開口部を開放する開放方向に移動したときに隣接する多面パネル体を受け入れる収容部を有し、連結体は複数のパネル長手方向の端部において、パネル間に掛け渡されることにより、隣接する多面パネル体が、一方の収容部に収容され、互いに近接した状態で格納されるため開口部を開放したときの間口を広くとることができる。
【０００７】
本発明に係る第二の形態として、連結体が隣接する開閉体の多面パネル体が前記パネル体に収容された状態において、隣接する開閉体の連結体と当接する構成とした。
本発明によれば、上記構成から生じる効果に加え、多面パネル体がパネル体に収容された状態において、互いに隣接する開閉体の連結体同士が当接することにより、開閉体が開口部を開放する方向に移動したときに多面パネル体同士の接触による損傷などを防止することができる。
【０００８】
本発明に係る第三の形態として、前記多面パネル体は、前記端部から長手方向に延長する切り欠き部を備える構成とした。
本発明によれば、上記構成から生じる効果に加え、多面パネル体が端部から長手方向に延長する切り欠き部を備えることにより、開閉体が開放方向に移動したときに、連結体と保持手段とを結合する部材が隣接する多面パネル体のパネルとの接触による損傷などを防止でき、多面パネル体が互いに近接した状態で格納されるため開口部を開放したときの間口を広くとることができる。
【０００９】
本発明に係る第四の形態として、多面パネル体が、光透過パネルを有する構成とした。
本発明によれば、上記構成から生じる効果に加え多面パネル体が、光透過パネルを有することにより、複数の開閉体が開口部を閉鎖した際に内外を視認可能とすることができる。
【００１０】
本発明に係る第五の形態として、開閉装置が保持手段を回転させる回転手段を備え、開閉体を回転させる構成とした。
本発明によれば、上記構成から生じる効果に加え開閉装置が保持手段を回転させる回転手段を備え、開閉体が回転することにより、隣接する開閉体のパネル体の間に隙間を設けることや、密着させることが可能となる。
即ち、開閉体が回転することによって開口部を完全に閉鎖する形態から室内の換気を行う形態への切替え、或いは、外部から視認可能な形態から外部から視認不可能な形態への切替え、さらには外観上（意匠上）の形態の切替えを容易に行うことができる。
【００１１】
本発明に係る第六の形態として、連結体が多面パネル体の長手方向の両端部において、パネル間に掛け渡され、連結体のうち一方の連結体が保持手段によって保持され、連結体のうち他方の連結体が隣接する開閉体同士の位置関係を規制する規制手段を備える構成とした。
本発明によれば、上記構成から生じる効果に加え連結体が多面パネル体の長手方向の両端部において、パネル間に掛け渡され、連結体のうち一方の連結体が保持手段によって保持され、連結体のうち他方の連結体が隣接する開閉体同士の位置関係を規制する規制手段を備えることにより、一方の連結体を保持する保持手段が開閉体を移動させたときに、他方の連結体が備える規制部材が隣接する開閉体の振れやバタつきを規制することができる。
なお、本明細書において開口部とは、区画された構造物の内外、或いは構造物内における室内同士等に連通する空間をいい、開閉体の閉鎖方向とは開閉体が前記連通する空間を仕切ることにより構造物の内外、或いは構造物内における室内同士を区画する方向をいう。
また、開閉体の開放方向とは閉鎖方向と逆の方向であって、区画された構造物の内外、或いは構造物内における室内同士等を連通させる方向をいうものとする。
【００１２】
以下、発明の実施形態を通じて本発明を詳説するが、以下の実施形態は特許請求の範囲に係る発明を限定するものではなく、また実施形態の中で説明される特徴の組み合わせのすべてが発明の解決手段に必須であるとは限らず、選択的に採用される構成を含むものである。
【図面の簡単な説明】
【００１３】
【図１】本発明に係る開閉装置が開口部に適用された状態を示す概略図。
【図２】ガイドレールの内部構造を示す断面図。
【図３】開閉体の外観を示す全体図。
【図４】振れ止めレール及びガイドボルトを示す概略図。
【図５】開閉体の回転状態を示す概略平面図。
【図６】開閉体の開閉状態を示す概略平面図。
【図７】開閉体の開閉状態を示す概略平面図。
【図８】開閉体が取り付け枠に格納された状態を示す平面図及び側面図。
【発明を実施するための形態】
【００１４】
図１は、本発明に係る開閉装置１０が構造物の躯体９を構成する壁面等に開設された開口部１５に適用された形態を示す。
同図において、開口部１５は幅方向に長尺な開口として形成され、例えば構造物の内部と外部とに連通する空間である。開口部１５には、後述の取付枠１６を介して開閉体１を備える開閉装置１０が設置される。開閉装置１０は、概略、開口部１５を閉鎖状態又は開放状態とする複数の開閉体１と、開閉体１を閉鎖方向又は開放方向に移動させる作動機構とから構成される。
【００１５】
取付枠１６は、開口部１５の幅方向に沿って延長し、図外の固定手段により開口部１５を形成する上下の周面又は周縁に対して取り付けられる上下の取付体１６ａ，１６ｂと、開口部１５の上下方向に沿って延長し、開口部１５を形成する左右の周面又は周縁に対して取り付けられる左右の取付体１６ｃ，１６ｄとからなる。
取付体１６ａ乃至１６ｄは図４（ａ）に示すようにアルミ鋼，ステンレス鋼等により形成される一方開放の断面略コの字状部材であって、開放された端部が開口部１５の内側を向くように開口部１５に取り付けられる。
取付体１６ｃは、他の取付体１６ａ，１６ｂ，１６ｄよりも幅広に設定され、後述の複数の開閉体１が開放方向に移動したときに複数の開閉体１を開放された端部から受け入れて格納する空間を有する。また、取付体１６ｂには後述の振れ止めレール２２が敷設される。
なお、取付体１６ａと取付体１６ｃとには、メンテナンスや開閉装置１０の取り付け作業用に図外の扉体が設けられる。
【００１６】
上記構成からなる取付枠１６には作動機構が取り付けられる。作動機構は概略、案内手段としてのガイドレール２１と、保持手段としての複数のランナーユニット２３と、ランナーユニット２３をガイドレール２１に沿って駆動させる駆動部２５とよりなる。
ガイドレール２１は、取付体１６ａの内部空間内に図外の固定手段によって取り付けられる部材であって、開口部１５の幅方向に沿って延長する。
つまり、ガイドレール２１が取付体１６ａの内部に取り付けられると、ガイドレール２１は開口部１５を形成する上側の周面又は周縁に沿って延長する。
【００１７】
図２（ａ），（ｂ）はガイドレール２１の断面図である。
同図においてガイドレール２１は断面略コの字状の開放側端部が下方を向くように取り付けられ、先端部が内側に折曲されることによりレール部３０，３０が形成される。
複数のランナーユニット２３は、ベース部４０と、ベース部４０に対して転動可能に取り付けられるタイヤ４１，４１と、ベース部４０を上下方向に貫通し、ベース部４０に対してベアリング４２により支承される回転体４３と、ベース部４０を覆うケース４４とから構成される。
回転体４３は、先端部に係合孔４４ａが開設されたピン部４５と、円形に形成された周面がかさ歯車として形成されたヘッド部４６とからなる。
ケース４４は、ランナーユニット２３を内部に格納する形態でベース部４０に取り付けられる箱体であって、後述のワイヤ５１を貫通させる貫通孔４８と後述の連結部材５３とを係合する係合部５４とを備える。
また、取付体１６ｃと最も近い位置に位置するランナーユニット２３のケース４４には後述の展開ワイヤ５７の先端を係止し得る係止部５８が形成される。
【００１８】
駆動部２５は、ガイドレール２１上に載置され複数のモータ４７ａ，４７ｂ，４７ｃと制御部４９とを備える。制御部４９は図外の操作パネルと接続され、操作パネルの操作に基づいてモータ４７ａ，４７ｂ，４７ｃに対して駆動信号を送出する。
モータ４７ａは、図外の伝達手段を介して回転軸５０と連結される。
回転軸５０は図２に示すようにガイドレール２１に沿って延長する軸体であって、一端が前記モータ４７ａの出力軸と連結され、他端がガイドレール２１内部に設けられた図外の軸受けにより支承される。
回転軸５０は周面に軸方向に沿って設けられる複数の凸部を備え、平歯車状に形成される。
モータ４７ａが制御部４９からの駆動信号により駆動されると、回転軸５０が図２（ｂ）の矢印に示すように一方向に回転する。
回転軸５０が一方向に回転すると平歯車として形成された回転軸５０とかさ歯車として形成されたヘッド部４６との噛み合いにより、回転体４３が一方向に回転する。
つまり、ランナーユニット２３の回転体４３は、モータ４７ａの駆動によりガイドレール２１内においてその場回転が可能である。
【００１９】
モータ４７ｂは、図外の伝達手段を介してワイヤ５１と連結される。ワイヤ５１は、ガイドレール２１に沿って延長する円環状の部材であって、モータ４７ａとガイドレール２１内部に設けられたプーリ５２との間に架け渡される。ワイヤ５１上には、ランナーユニット２３のケース４４に形成された貫通孔４８を介して複数のランナーユニット２３が配置される。
図２（ｂ）に示すようにワイヤ５１上における取付体１６ｃと最も離れる位置に設けられるランナーユニット２３Ａには、ストッパ５５，５５が配置される。ストッパ５５，５５はランナーユニット２３を左右から挟み込むようにワイヤ５１上に固定される円環部材であって、モータ４７ｂの駆動に伴って、ランナーユニット２３を開放方向又は閉鎖方向に誘導する。
また、各ランナーユニット２３は連結部材５３により連結される。連結部材５３は互いに隣接するランナーユニットのケース４４の係合部５４に係合される紐状部材（例えば弾性のあるワイヤやゴム、ばねなど）であって、自然長において後述の複数の開閉体１同士を閉鎖し得る長さに設定される。
【００２０】
モータ４７ｃは、図外の伝達手段を介して展開ワイヤ５７と連結される。展開ワイヤ５７は、ガイドレール２１に沿って延長する部材であって、モータ４７ｃと、ランナーユニット２３Ｐのケース４４に形成された係止部５８との間に架け渡される。
【００２１】
上記構成からなる案内手段としてのガイドレール２１と保持手段及び回転手段としての複数のランナーユニット２３とによれば、制御部４９に対して図外の操作パネル等の操作により回転駆動信号が入力されるとモータ４７ａの駆動により回転軸５０が正方向又は逆方向に回転し、ランナーユニット２３の回転体４３を正方向又は逆方向に回転させることが可能となる。
また、制御部４９に対して図外の操作パネル等の操作により開閉駆動信号が入力されると、モータ４７ｂの駆動によりワイヤ５１が開放方向に又は閉鎖方向に引っ張られ、ランナーユニット２３をガイドレール２１に沿って開放方向又は閉鎖方向に移動させることが可能となる。
具体的には、図１に示す閉鎖状態からワイヤ５１が開放方向に回転するとストッパ５５によって挟み込まれるランナーユニット２３Ａがワイヤ５１の移動に伴って取付体１６ｃ側に移動し、後続のランナーユニット２３がこれに追従するように順次収容される。
また、開放状態からワイヤ５１が閉鎖方向に回転するとストッパ５５，５５によって挟み込まれるランナーユニット２３が収容空間として形成された取付体１６ｃから繰り出され、後続のランナーユニット２３が連結部材５３によって追従するように順次繰り出される。
なお、本例においてはランナーユニット２３を開口部１５の幅方向に沿って延長するガイドレール２１上を移動する構成としたが、ガイドレール２１を開口部１５の上下方向に沿って延長する部材として構成し、ランナーユニット２３を開口部１５の上下方向に移動させる構成としてもよく、当該構成によれば後述の開閉体１を開口部１５の上下方向に開閉する構成とすることができる。
【００２２】
ランナーユニット２３には、フック５６を介して後述の開閉体１が吊下げられる。フック５６は断面略コの字状の金具であり上端部がピン部４５の係合孔４４ａに係合する。
以下、開閉体１について詳説する。
【００２３】
図３は、開閉体１の全体図を示す。同図において開閉体１は、複数のパネル３，４によって形成される多面パネル体２と、複数のパネル３，４間に取り付けられる上下の連結体５ａ，５ｂとによって構成される。
図３（ａ），（ｂ）に示すように、多面パネル体２は開口部１５の上下方向に長尺、即ちランナーユニット２３の移動方向に直交する方向に延長するパネル３及びパネル４が組み合わされることにより構成される。
パネル３，４は、木材や金属板等の遮光性部材や、無色透明又は有色透明のアクリル板、強化ガラス等からなる透光性部材からなる平板状であって、長手方向一側の角部が切り欠かれることにより凸状の板として形成される。なお、本例においては多面パネル体２の一方のパネル３を透光性部材として構成し、他方のパネル４を遮光性部材として構成する。
【００２４】
パネル３とパネル４とは、切り欠きが設けられた一側面３ｃ，４ｃとが互いに向かい合わされ、多面パネル体２には端部から長手方向に延長する切り欠きとしての上下のボルト逃げ部５９が形成される。
なお、パネル３とパネル４とが突き合わされた状態においてパネル３とパネル４との挟角は９０度とするのが望ましいが、これに限るものではない。
パネル３とパネル４とが前記のとおり突き合わされると、パネル３，４との間に収容部１１が形成される。図３（ｃ）に示すように収容部１１とは、パネル３，４の幅方向距離Ｎ，Ｍとパネル３，４の先端を互いに結ぶ仮想線Ｌとで囲まれた略直角二等辺三角形の領域Ｒがパネル３，４の長手方向に連続的に延長して形成された空間を意味し、当該空間内には隣接する開閉体１のパネル体２が収容される。
なお、本例において、多面パネル体２は２枚のパネル３，４により構成されるものとしたが、多面パネル体２を構成する数量はこれに限らず、例えば３枚以上のパネルにより構成する場合には、多面パネル体２を長手方向に断面視したときに、隣接するパネル体２を収容可能な形状に形成されればよい。また、一枚のパネルを成型して多面パネル体としてもよい。
【００２５】
パネル３とパネル４との間には長手方向の両端部において連結体５ａ，５ｂが取り付けられる。連結体５ａ，５ｂは合成樹脂、ガラス、アルミ鋼またはやステンレス鋼等からなる略台形状の平板部材である。
連結体５ａはパネル３，４の上側端部に架け渡されるように固着され、連結体５ｂはパネル３，４の下側端部に掛け渡されるように固着される。
また、連結体５ａ，５ｂにより固着されたパネル３，４は、突き合わされる接合部１２に後述の凸部３ｄ又は４ｄと対応して当接する凹部１２Ａが形成される。
なお、連結体５ａ，５ｂは領域Ｒを形成する仮想線Ｌよりもパネル３，４が突き合わされる接合部１２側に固着されるのが望ましく、より接合部１２に近い位置に固着することにより隣接する多面パネル体２同士を近接させた状態で収容することができ、開閉体１を取付体１６ｃに格納したときの全体幅を短くすることができる。
【００２６】
連結体５ａは中央部にボルト孔を有する。ボルト孔には吊りボルト２６が上下方向に突出するように螺入される。吊りボルト２６は上端部に前記フック５６の下端部と係合し得る係合孔２６ａを有し、当該係合孔２６ａがフック５６に対して係合されることにより、複数の開閉体１が複数のランナーユニット２３にそれぞれ吊下げられた状態で保持される。
【００２７】
連結体５ｂは中央部にボルト孔を有する。ボルト孔にはガイドボルト２７が下方に突出するように螺入される。図４に示すように、開閉体１がランナーユニット２３に吊下げられた状態において、ガイドボルト２７は前記振れ止めレール２２によって挟まれる。
振れ止めレール２２は、前述の取付体１６ｃの底面に対して取り付けられる断面Ｌ字状の部材であって、取付体１６ｃの延長方向即ち、開口部１５の幅方向に沿って延長する。
ガイドボルト２７が振れ止めレール２２によって挟まれることによって、開閉体１が閉鎖方向又は開放方向に移動する際に、ガイドボルト２７が振れ止めレール２２と摺接するため開閉体１が開口部１５の奥行き方向にバタつくことを防止することができる。
また、ガイドボルト２７の先端部には隣接する開閉体１のガイドボルト２７同士を互いに連結する規制手段としての連動体７が取り付けられる。連動体７は、蛇腹状に形成された塩化ビニルや、ゴム、紙等により形成され一定間隔ごとにガイドボルト２７の先端部を挿通し得る円孔を有する。
【００２８】
隣接する複数の開閉体１のガイドボルト２７同士が円孔を介してガイドボルト２７に取り付けられる連動体７により連結されたことによって、開閉体１を開閉させたときに生じる開口部１５幅方向への振れ幅やバタつきを規制することができる。
なお、本例においては、規制手段としての連動体７を蛇腹状としたがこれに限るものではなくチェーンや紐状部材などで連結する構成としてもよい。
【００２９】
以下、上記構成からなる開閉体１を作動させた形態を各構成により生じる効果と併せて詳述する。図５は、図１における開閉体１のＡ−Ａ断面図である。
図５（ａ）において開閉体１は、多面パネル体２の透光性部材からなるパネル３を屋外側に向けて開口部１５を閉鎖した状態である。このとき、開閉体１は、パネル３，４の接合部１２に形成された凹部１２Ａにパネル３の端部に形成された凸部３ｄが当接し、開口部１５の幅方向にパネル３が面一に形成される。
つまり、この状態においては屋外側からの全面採光が可能であって、屋外側から屋内側、或いは屋内側から屋外側への視認が全領域において可能な状態である。
【００３０】
図５（ｂ）は図外の操作パネル等の操作によりモータ４７ａが駆動し、図５（ａ）の開閉体１が矢印に示す方向に回転し、開口部１５を閉鎖した状態を示す。
具体的には、図外の操作パネル等が操作されると、前述のモータ４７ｃが駆動し、モータ４７ｃと連結された展開ワイヤ５７が取付体１６ｃの側へ巻き取られ、展開ワイヤ５７の一端と係止される取付体１６ｃと最も近い位置に位置するランナーユニット２３Ｐが取付体１６ｃの側へ引き寄せられる。
ランナーユニット２３Ｐが取付体１６ｃ側へ引き寄せられると、ランナーユニット２３に吊下げられた複数の開閉体１同士の相対距離が長くなり、開閉体１の回転に必要な回転半径が確保される。
そして、回転半径が確保された状態においてモータ４７ａが駆動されることにより、開閉体１は図５（ａ）に示す状態から図５（ｂ）に示す状態へと回転することが可能となる。
また、各ランナーユニット２３同士は互いに弾性体よりなる連結部材５３により連結されているため、回転動作が完了し、モータ４７ｃが展開ワイヤ５７を繰り出す方向に駆動されることにより、開閉体１は隣接する開閉体１と隙間無く開口部１５を閉鎖することができる。
つまり、この状態において開閉体１を屋外側又は屋内側から視認した場合、透光部材からなるパネル３と遮光部材からなるパネル４とが互い違いに配列された状態となるため、図５（ａ）に示す開閉体１の状態と比較して採光量及び視認可能な範囲を低減することができる。
【００３１】
図５（ｃ）は図外の操作パネル等の操作によりモータ４７ａが駆動し、図５（ｂ）の開閉体１が矢印に示す方向に回転し、多面パネル体２の遮光性部材からなるパネル４を屋外側に向けて開口部１５を閉鎖した状態を示す。このとき、開閉体１は、パネル３，４の接合部１２に形成された凹部１２Ａにパネル４の端部に形成された凸部４ｄが当接し、開口部１５の幅方向にパネル４が面一に形成される。なお、具体的回転方法については、前記同様であるので省略する。
この状態においては屋外側からの採光が不可能であって、屋外側から屋内側、或いは屋内側から屋外側への視認も不可能な状態である。
即ち、開閉体１が回転手段によって回転され、かつ、透光部材からなるパネル３と遮光部材からなるパネル４とからなる多面パネル体２を備えたことにより回転角度によって採光量を調整することが可能となる。
また、パネル４の表面に文字や図柄を配することや、パネル４自体を液晶パネルとして構成することにより、パネル４を屋外側に向けて開口部１５を閉鎖し、屋内側の視認を不可能としつつ、外部から商店の広告や販売物の宣伝を視認させることが可能となる。即ち、開口部１５を開閉体１によって閉鎖した時の意匠上の美観を向上させることが可能となる。
【００３２】
図６，図７は開口部１５が開閉体１によって閉鎖された状態から、換気状態を経て開放された状態に移行するまでの形態の変化を示す図である。図６（ａ），図７（ａ）において開口部１５はパネル３又はパネル４が屋外側に向けられた状態で開閉体１により閉鎖された状態である。
この状態において図外の操作パネル等の操作により開口部１５を開放する操作がなされると、前述のモータ４７ｃが駆動し、複数の開閉体１の相対距離が長くなり回転半径が確保される。
そして、図６（ｂ），図７（ｂ）に示すように、回転半径が確保された状態においてモータ４７ａが駆動すると、開閉体１は矢印で示す方向に回転し例えば４５度回転した位置で停止される。
つまり、この状態は屋外側からの採光が可能であるとともに、複数の開閉体１の隙間を通して、屋内外の換気が可能な状態である。
【００３３】
上記換気状態から図外の操作パネル等の操作により開口部１５を開放する操作がなされると、モータ４７ｂが駆動し開放動作が開始される。
具体的には、図６（ｃ），図７（ｃ）に示すようにモータ４７ｂの駆動によりワイヤ５１が移動し、開閉体１Ａが閉鎖方向への移動を開始する。
開閉体１Ａが開放方向へ移動すると、開閉体１の連結体５ａ，５ｂの上底面又は下底面が隣接する開閉体１Ｂの連結体５ａ，５ａの下底面又は上底面と当接し、開閉体１Ａがさらに開放方向へ移動することにより、複数の開閉体１同士が互いに重なりあうように取付体１６ｃ側へ移動し、収容空間として形成された取付体１６ｃの内部に格納される。
【００３４】
以上のとおり、開閉体１を構成する多面パネル体２は、複数のパネル３，４によって形成され、かつ、回転手段としてのランナーユニット２３により回転し得る構成であるため、回転角度によって視認可能領域や採光量或いは換気量等を自在に調整可能である。
【００３５】
図８は図６に示す複数の開閉体１が収容された状態における多面パネル体２及び連結体５ａとの関係を示す図である。
図８（ａ）に示すように、複数の開閉体１が格納されると多面パネル体２は互いに隣接する開閉体１の多面パネル体２を仮想線Ｌよりも接合部１２側に受け入れる。
つまり、多面パネル体２に形成された空間である収容部１１は、開閉体１が開放方向に移動したときに隣接する多面パネル体２を内部空間内に受け入れる構成である。
また、図８（ｂ）に示すように、連結体５ａに設けられた上下に突出する吊りボルト２６はパネル３，４に形成されたボルト逃げ部５９によって、隣接する多面パネル体２の接合部１２と接触することなく隣接する多面パネル体２の収容部１１内に位置する。
つまり、多面パネル体２のボルト逃げ部５９が吊りボルト２６の逃げとして機能するため、多面パネル体２同士をより接近した状態で収容することができる。
【００３６】
以上のとおり、開閉体１を構成する多面パネル体２が隣接する開閉体１の多面パネル体２を受け入れる収容部１１を備え、かつ、隣接する開閉体１の吊りボルト２６を逃がすボルト逃げ部５９を備えることにより、多面パネル体２同士を近接させた状態で開閉体１を収容することができる。
また、ボルト逃げ部５９が設けられたことによって隣接する開閉体１の連結体５ａ，５ｂ同士が当接して収容されるため、取付体１６ｃに格納された状態において、多面パネル体２同士が接触することを防止することができる。
【００３７】
以上、本発明を実施の形態を用いて説明したが、本発明の技術的範囲は上記実施の形態に記載の範囲には限定されない。上記実施の形態に、多様な変更または改良を加えることが可能であることが当業者にも明らかである。そのような変更または改良を加えた形態も本発明の技術的範囲に含まれ得ることが、特許請求の範囲の記載から明らかである。
【符号の説明】
【００３８】
１  開閉体、２  多面パネル体、３  パネル、４  パネル、５ａ  連結体、
５ｂ  連結体、７  連動体、１０  開閉装置、９  躯体、１１  収容部、
１２  接合部、１５  開口部、１６  取付枠、１６ａ  取付体、１６ｂ  取付体、
１６ｃ  取付体、１６ｄ  取付体、２１  ガイドレール、２２  振れ止めレール、
２３  ランナーユニット、２５  駆動部、２６  吊りボルト、２７  ガイドボルト、
３０  レール部、４０  ベース部、４１  タイヤ、４２  ベアリング、４３  回転体、
４４  ケース、４４ａ  係合孔、４５  ピン部、４６  ヘッド部、４７ａ  モータ、
４７ｂ  モータ、４７ｃ  モータ、４８  貫通孔、４９  制御部、５１  ワイヤ、
５２  プーリ、５３  連結部材、５４  係合部、５５  ストッパ、５６  フック、
５７  展開ワイヤ、５８  係止部、５９  ボルト逃げ部、Ｒ  領域、Ｌ  仮想線。
【図１】
2010180658.tif 000003
【図２】
2010180658.tif 000004
【図３】
2010180658.tif 000005
【図４】
2010180658.tif 000006
【図５】
2010180658.tif 000007
【図６】
2010180658.tif 000008
【図７】
2010180658.tif 000009
【図８】
2010180658.tif 000010